(57)【特許請求の範囲】
【請求項１】
第一ハウジングを有し、前記第一ハウジングの第一面には開口が形成され、前記第一ハウジングの内部には画像形成部が収容された第一ユニットと、
第二ハウジングを有し、前記第一ユニットに対し相対的に第一位置及び第二位置へ変位し、前記第一位置にある場合には、前記第二ハウジングの第二面で前記第一面を覆い、前記第二位置にある場合には前記第二面が前記第一面から離間するように構成された第二ユニットと、
を備え、
前記第二ユニットは、前記第二面に取り付けられた蓋部と、
画像を読み取る読取部と、
を有し、前記第二ユニットが前記第一位置にある場合には、前記蓋部が前記開口を閉鎖するように構成されており、
前記第二ユニットは、画像を読み取る読取部を有する読取ユニットとして構成され、
前記読取ユニットは、前記読取部が所定の移動方向へ往復移動する際に当該読取部を前記移動方向へ案内するガイド部を備え、
前記ガイド部は、前記第二ハウジングの内底面に一体成形され、前記内底面から突出する部分が前記移動方向に延在する形状とされ、
前記第二ハウジングの前記第二面には、前記ガイド部の内部に達する深さの溝が形成され、
前記蓋部における前記第二ハウジングに対向する箇所には、前記第二ハウジング側に向かって突出する突出部が形成されて、当該突出部が前記溝の内部に入り込むように構成されている
画像形成装置。
【請求項２】
請求項１に記載の画像形成装置であって、
前記突出部は、前記溝に挿し込まれることにより、前記ガイド部の曲げ剛性を向上させる補強部材として機能するように構成されている
画像形成装置。
【請求項３】
請求項１又は請求項２に記載の画像形成装置であって、
前記蓋部は、前記第二ハウジングよりも濃色の部材で構成されている
画像形成装置。
【請求項４】
請求項１−請求項３のいずれか一項に記載の画像形成装置であって、
前記蓋部は、前記第二ユニットが前記第一位置にある場合に、前記開口を画定する内壁面に囲まれる位置に入り込んで、当該開口を閉鎖するように構成されている
画像形成装置。
【発明の詳細な説明】
【技術分野】
【０００１】
本発明は、画像形成装置に関する。
【背景技術】
【０００２】
第一ユニットと、第一ユニットの上側に配置された第二ユニットとを備えた画像形成装置が知られている。（例えば、特許文献１参照。）。特許文献１に記載の画像形成装置の場合、第一ユニットには、被記録媒体に対して画像を形成可能な画像形成部が設けられている。第二ユニットには、読み取り対象物の画像を読み取り可能な読取部が設けられている。
【０００３】
第二ユニットは、第一ユニットに対して相対的に第一位置及び第二位置へ変位可能に構成されている。第一ユニットの上面には、開口が形成されている。第二ユニットが第一位置にある場合、第一ユニット上面の開口は第二ユニットによって覆われる。通常は、この状態において、画像形成部による画像形成等が実施される。
【０００４】
また、第二ユニットが第二位置にある場合には、第二ユニットが第一ユニットの上面から離間し、第一ユニット上面の開口が装置外部に露出する。この状態において、利用者は、第一ユニット上面の開口を介して、画像形成部に対するメンテナンス（例えばジャム処理等。）を実施することができる。
【先行技術文献】
【特許文献】
【０００５】
【特許文献１】特開２０１１−２０７０３９号公報
【発明の概要】
【発明が解決しようとする課題】
【０００６】
ところで、インクジェット方式で画像を形成可能な画像形成部を備える場合、被記録媒体に対して画像を形成する際に、被記録媒体に向かって噴射されるインクの一部がミスト化して周辺に飛散することがある。このような現象が生じた場合、インクミストが上述の開口を介して第一ユニット外へ漏出すると、インク成分が第二ユニットに付着する。そのため、第二ユニットにおいては、上述の第一位置にある場合に第一ユニットに対向している面が、広範囲にわたってインク成分で汚れてしまうことがあった。
【０００７】
なお、このような問題は、画像形成部がインクジェット方式以外の方式で画像を形成する場合であっても発生し得る。例えば、電子写真方式で画像を形成可能な画像形成部を備える場合でも、トナー等の着色粒子が第一ユニット上面の開口から漏出すれば、第二ユニットが広範囲にわたって汚れ得る。また、トナー等の着色粒子に限らず、例えば、微細なほこり等の汚れ成分が第一ユニット内で帯電して第一ユニット上面の開口から漏出すれば、そのような汚れ成分が第二ユニットに付着し、第二ユニットが広範囲にわたって汚れ得る。
【０００８】
以上のような事情から、開口を有する第一ユニット内で汚損原因が発生しても、開口を覆う位置にある第二ユニットが広範囲にわたって汚れるのを抑制可能な画像形成装置を提供することが望ましい。
【課題を解決するための手段】
【０００９】
以下に説明する画像形成装置は、第一ハウジングを有し、前記第一ハウジングの第一面には開口が形成され、前記第一ハウジングの内部には画像形成部が収容された第一ユニットと、第二ハウジングを有し、前記第一ユニットに対し相対的に第一位置及び第二位置へ変位し、前記第一位置にある場合には、前記第二ハウジングの第二面で前記第一面を覆い、前記第二位置にある場合には前記第二面が前記第一面から離間するように構成された第二ユニットとを備え、前記第二ユニットは、前記第二面に取り付けられた蓋部を有し、前記第二ユニットが前記第一位置にある場合には、前記蓋部が前記開口を閉鎖するように構成されている。
【００１０】
このように構成された画像形成装置によれば、第二ユニットが第一位置にある場合、蓋部が開口を閉鎖する。そのため、第一ハウジングの内部で汚損原因が生じても、そのような汚損原因が開口を介して第一ハウジングの外へ拡散するのを抑制できる。したがって、第二ハウジングの第二面が広範囲にわたって汚損するのを抑制できる。
【００１１】
また、蓋部は、第二ユニットの第二面に取り付けられている。そのため、第二ユニットには取り付けられていない蓋部で開口を閉鎖してあるものとは異なり、第二ユニットを第二位置へ変位させるだけで、開口を開放することができる。したがって、第二ユニットを第二位置へ変位させた後に、蓋部を取り外すといった面倒な操作をしなくても済む。
【００１２】
以上のような画像形成装置は、更に以下に挙げるような構成を備えていてもよい。
まず、上述の画像形成装置であって、前記蓋部は、前記第二ハウジングよりも濃色の部材で構成されていてもよい。
【００１３】
このように構成された画像形成装置によれば、蓋部が汚損されたとしても、第二ハウジングの第二面が汚損される場合に比べ、蓋部が濃色で構成されていることで、蓋部自体の汚損を目立たなくすることができる。
【００１４】
また、上述の画像形成装置であって、前記第二ハウジングは、前記第二ユニットにおいて外部に露出する外装面を構成する部分と前記第二面を構成する部分とを、樹脂材料で一体成形した構造とされていてもよい。
【００１５】
このように構成された画像形成装置によれば、例えば外装面を淡色にしたい場合のように、第二ハウジング全体が汚損しやすい色合いになったとしても、上述の通り、蓋部によって第二ハウジングの第二面が広範囲にわたって汚損するのを抑制できる。
【００１６】
また、上述の画像形成装置であって、前記蓋部は、前記第二ユニットが前記第一位置にある場合に、前記開口を画定する内壁面に囲まれる位置に入り込んで、当該開口を閉鎖するように構成されていてもよい。
【００１７】
このように構成された画像形成装置によれば、第二ユニットが第一位置にある場合、蓋部は、開口を画定する内壁面に囲まれる位置に入り込む。そのため、第二ユニットが第一位置にある状態において第一面と第二面との間には十分な空隙がない場合でも、適度な厚さが確保された蓋部を利用して、適切に開口を閉鎖することができる。
【００１８】
また、上述の画像形成装置であって、前記第二ユニットは、画像を読み取る読取部を有する読取ユニットとして構成されていてもよい。
このように構成された画像形成装置によれば、上述のような読取ユニットにおいて、上述の第二面が汚損するのを抑制することができる。
【００１９】
また、上述の画像形成装置であって、前記読取ユニットは、前記読取部が所定の移動方向へ往復移動する際に当該読取部を前記移動方向へ案内するガイド部を備え、前記ガイド部は、前記第二ハウジングの内底面に一体成形され、前記内底面から突出する部分が前記移動方向に延在する形状とされ、前記第二ハウジングの前記第二面には、前記ガイド部の内部に達する深さの溝が形成され、前記蓋部における前記第二ハウジングに対向する箇所には、前記第二ハウジング側に向かって突出する突出部が形成されて、当該突出部が前記溝の内部に入り込むように構成されていてもよい。
【００２０】
このように構成された画像形成装置によれば、上述のような突出部が、第二ハウジングに形成された溝の内部に入り込んでいる。そのため、このような突出部及び溝が設けられていない場合に比べ、第二ハウジングと蓋部との相対位置を容易に適正な位置に位置決めすることができる。
【００２１】
また、上述の画像形成装置であって、前記突出部は、前記ガイド部の曲げ剛性を向上させる補強部材として機能するように構成されていてもよい。
このように構成された画像形成装置によれば、上述のような突出部が補強部材として機能することで、ガイド部の曲げ剛性が向上する。したがって、同様な突出部が設けられていない場合や、突出部が補強部材として機能するほどの機械的強度を備えていない場合等に比べ、ガイド部の形状安定性ないし寸法精度を高くすることができる。
【図面の簡単な説明】
【００２２】
【図１】図１は複合機の斜視図である。
【図２】図２（Ａ）は画像形成ユニットの上部カバーに対しフラットベッド部が第一位置に変位した状態を示す斜視図である。図２（Ｂ）は画像形成ユニットの上部カバーに対しフラットベッド部が第二位置に変位した状態を示す斜視図である。
【図３】図３（Ａ）はフラットベッド部を示す底面図である。図３（Ｂ）は画像形成ユニットの上部カバーを示す平面図である。
【図４】図４は画像形成ユニットの上部カバーを示す斜視図である。
【図５】図５（Ａ）は蓋部の底面図である。図５（Ｂ）は蓋部の平面図である。
【図６】図６は蓋部が取り外された状態にあるフラットベッド部を示す底面図である。
【図７】図７は画像形成ユニットの上部カバー及びフラットベッド部を示す縦断面図である。
【図８】図８は図７に示したＶＩＩＩ部の拡大図である。
【図９】図９（Ａ）は図６に示したＩＸＡ部の拡大図である。図９（Ｂ）は図９（Ａ）に示した箇所に蓋部が取り付けられた状態を示す説明図である。
【図１０】図１０は画像形成ユニットの上部カバーと蓋部との位置関係を示す平面図である。
【発明を実施するための形態】
【００２３】
次に、上述の画像形成装置について、例示的な実施形態を挙げて説明する。
［複合機の構成］
図１に示す複合機１は、上述の画像形成装置の一例に相当する構成を備えるものである。なお、以下の説明においては、図中に併記した前後左右上下の各方向を利用して説明を行う。これらの各方向は、複合機１の六面図において、正面図に表れる箇所が向けられる方向を前、背面図に表れる箇所が向けられる方向を後、左側面図に表れる箇所が向けられる方向を左、右側面図に表れる箇所が向けられる方向を右、平面図に表れる箇所が向けられる方向を上、底面図に表れる箇所が向けられる方向を下、と規定した方向である。ただし、これらの各方向は、複合機１を構成する各部の相対的な位置関係を簡潔に説明するために規定した方向に過ぎない。したがって、例えば複合機１の使用時等に、複合機１をどのような方向に向けて設置するかは任意である。
【００２４】
複合機１は、本体ユニット２（本明細書でいう第一ユニットの一例に相当。）と、本体ユニット２の上側に搭載された読取ユニット３（本明細書でいう第二ユニットの一例に相当。）とを備えている。読取ユニット３は、フラットベッド部４（以下、ＦＢ部４と略称する。）と、ＦＢ部４の上側に設けられた自動原稿送り装置部５（以下、ＡＤＦ部５と略称する。）とを有する。ＡＤＦ部５は、背面側に設けられる回動軸心を中心にＦＢ部４に対して開閉可能に取り付けられている。ＡＤＦ部５が閉じられた場合、ＡＤＦ部５はＦＢ部４の上面側を覆うカバーとして機能する。
【００２５】
本体ユニット２には、複合機１の各部を制御する制御部、被記録媒体に対してインクジェット方式で画像を形成する画像形成部、及びＬＡＮ（Local Area Network）経由で各種機器と通信を行うＬＡＮ通信部などが設けられている。ＦＢ部４には、読み取り対象物の画像を読み取る読取部が設けられている。ＡＤＦ部５には、シート状の読み取り対象物を所定の搬送経路に沿って搬送する搬送部が設けられている。
【００２６】
本体ユニット２の前側上部には操作パネル７が設けられている。操作パネル７は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。操作パネル７の下方には、画像形成部において画像が形成された被記録媒体を取り出すための取り出し口８が設けられている。取り出し口８の下方には、画像形成部へ供給される被記録媒体が収容される媒体供給カセット９が取り付けられている。
【００２７】
読取ユニット３は、本体ユニット２に対し、第一位置（図２（Ａ）参照。）及び第二位置（図２（Ｂ）参照。）へ変位可能に構成されている。なお、図２（Ａ）及び図２（Ｂ）において、本体ユニット２としては、本体ユニット２の一部に相当する上部カバー１１だけを図示してある。また、読取ユニット３としては、読取ユニット３の一部に相当するＦＢ部４だけを図示してある。
【００２８】
上部カバー１１は、樹脂製で、本体ユニット２の筐体２Ａ（本明細書でいう第一ハウジングの一例に相当。）の一部を構成している。ＦＢ部４は、ベース部材１３及びカバー部材１４を備える。ベース部材１３及びカバー部材１４は、それぞれが樹脂製で、双方とも読取ユニット３の筐体３Ａ（本明細書でいう第二ハウジングの一例に相当。）の一部を構成している。
【００２９】
読取ユニット３が第一位置にある場合、本体ユニット２の上面２Ｂ（本明細書でいう第一面の一例に相当。）と読取ユニット３の下面３Ｂ（本明細書でいう第二面の一例に相当。）が近接し、本体ユニット２の上面２Ｂは読取ユニット３の下面３Ｂによって覆われる。また、読取ユニット３が第二位置にある場合、本体ユニット２の上面２Ｂと読取ユニット３の下面３Ｂが離間し、本体ユニット２の上面２Ｂは外部に露出する。また、読取ユニット３の下面３Ｂも、読取ユニット３の開放角度によっては、外部に露出し、ユーザの視覚に入る状態となる。
【００３０】
ベース部材１３の内底面１３Ａには、図２（Ａ）に示すように、ガイド部１５が形成されている。ガイド部１５は、ベース部材１３に一体成形され、内底面１３Ａから上方へ突出する部分が左右方向に延在する形状とされている。また、ＦＢ部４において、ベース部材１３とカバー部材１４との間に挟み込まれる位置には、プラテン１６が設けられている。プラテン１６は、透明なガラス板又はアクリル板等によって構成される。プラテン１６の下方には、ガイド部１５の上面側に沿って左右方向へ往復移動可能に構成されたキャリッジ１７と、キャリッジ１７に搭載されてキャリッジ１７とともに移動するイメージセンサ１８（本明細書でいう読取部の一例に相当。）が設けられている。
【００３１】
筐体３Ａの下面３Ｂ（すなわち、ベース部材１３の外底面。）には、図３（Ａ）に示すように、蓋部２１が取り付けられている。蓋部２１は、ベース部材１３を形成する樹脂材料（本実施形態の場合は淡灰色の樹脂材料。）よりも濃色の樹脂材料（本実施形態の場合は黒色の樹脂材料。）によって形成されている。なお、本実施形態においては、ベース部材１３の内底面１３Ａと外底面（すなわち、筐体３Ａの下面３Ｂ。）とは、平板状の樹脂部材の一方の面と他方の面に相当する。しかし、これに限定されるものではなく、複数の部材が積層され、ベース部材１３が構成されていてもよい。
【００３２】
また、筐体２Ａの上面２Ｂ（すなわち、上部カバー１１。）には、図３（Ｂ）に示すように、開口２３が形成されている。開口２３は、図４に示すように、開口２３を囲む位置に形成された内壁面２４によって画定され、上部カバー１１を図中でいう上下方向に貫通している。この開口２３は、読取ユニット３が第二位置にある場合には外部に露出するので、利用者は開口２３を介して本体ユニット２に対するメンテナンス（例えば、ジャム処理など。）を実施することができる。
【００３３】
蓋部２１には、図５（Ａ）及び図５（Ｂ）に示すように、上方へ突出する突出部２６と、切り欠き部２７と、貫通孔２８が形成されている。一方、ベース部材１３の下面（すなわち、筐体３Ａの下面３Ｂ。）には、図６に示すように、溝３０が形成されている。本実施形態の場合、ガイド部１５は、ベース部材１３を下面側から上方に押し上げるようにして突出形状を形成しており、下面側から見た場合、ガイド部１５に対応する位置は中空の溝３０となっている。
【００３４】
蓋部２１がベース部材１３の下面に取り付けられる際には、図７及び図８に示すように、突出部２６が溝３０に挿し込まれる。溝３０の深さＤ１（図８参照。）は、ベース部材１３の底板１３Ｂの厚さＴ１（図８参照。）よりも深く、ベース部材１３の内底面１３Ａよりも上方にあるガイド部１５の内部に達している。このような溝３０に突出部２６が挿し込まれることにより、蓋部２１は、ベース部材１３に対する前後方向の相対位置が位置決めされる。また、突出部２６が溝３０に挿し込まれることにより、ガイド部１５の剛性が高くなり、ガイド部１５が変形しにくくなる。すなわち、突出部２６は、ガイド部１５の曲げ剛性を向上させる補強部材として機能する。
【００３５】
また、図９（Ａ）に示すように、ベース部材１３の下面には、位置決めリブ３２及び位置決め突起３３が形成されている。蓋部２１がベース部材１３の下面に取り付けられる際には、図９（Ｂ）に示すように、位置決めリブ３２が切り欠き部２７に嵌め込まれ、位置決め突起３３が貫通孔２８に嵌め込まれる。これにより、蓋部２１は、ベース部材１３に対する左右方向の相対位置が位置決めされる。なお、本実施形態の場合、位置決め突起３３は貫通孔２８に嵌め込まれるが、貫通孔２８に代えて、貫通していない穴（有底穴）を設けても同様な位置決めが可能である。
【００３６】
このように前後左右がベース部材１３に対して位置決めされた状態で、蓋部２１をベース部材１３側に押し付けると、蓋部２１に設けられた弾性係止爪（図示略）がベース部材１３側にある被係合部（図示略）に引っかかる。その結果、蓋部２１がベース部材１３に取り付けられる。ただし、具体的な取り付け方法はどのような方法であってもよく、上述のような弾性係止爪による係合機構を採用するか否かは任意である。例えば、このような弾性係止爪による係合機構に代えて、両面テープを介して蓋部２１をベース部材１３側に取り付けてもよいし、ねじ止め等の方法で蓋部２１をベース部材１３側に取り付けてもよい。あるいは、上述の弾性係止爪のように、係止爪そのものを弾性変形可能に構成しなくても、蓋部２１全体を弾性変形させて撓ませつつ、係止爪が被係合部に引っかかるように構成してもよい。また、上述のような取り付け方法は、蓋部２１をベース部材１３に取り付けたあと、蓋部２１をベース部材１３から取り外すことが可能な取り付け方法か否かも任意である。すなわち、所定の操作（例えば、係合機構による係合を解除する操作。）を行えば、蓋部２１をベース部材１３から取り外し得るように構成されていてもよい。この場合、必要に応じて蓋部２１を交換することが可能となる。あるいは、蓋部２１をベース部材１３から取り外すことが不可能となるように構成されていてもよい。この場合、予期しない原因で蓋部２１がベース部材１３から外れてしまうといったトラブルが発生するのを抑制することができる。
【００３７】
蓋部２１が取り付けられた読取ユニット３が第一位置にある場合、図７及び図８の断面図に示されるように、蓋部２１は開口２３に入り込み、蓋部２１と開口２３を区画する内壁面２４が前後方向から見て重なった位置になっている。このような位置まで蓋部２１が入り込むことで、蓋部２１の周縁２１Ａと内壁面２４との隙間を小さくすることができる。ここで、読取ユニット３が第一位置にある状態において、蓋部２１の周縁２１Ａと内壁面２４との間に大きな隙間があると、そのような大きな隙間を介してインクミストが上方（すなわち、読取ユニット３側。）へ拡散しやすくなる。しかし、本実施形態においては、蓋部２１が内壁面２４側に入り込むことで隙間を小さくすることができるので、上述のようなインクミストの拡散を低減できる。
【００３８】
また、蓋部２１が開口２３に入り込むように構成されていると、筐体２Ａの上面２Ｂと筐体３Ａの下面３Ｂとの間に十分な空隙がなくても、蓋部２１の厚さを容易に確保することができる。したがって、例えば、筐体２Ａの上面２Ｂと筐体３Ａの下面３Ｂとの間にある僅かな空隙内に収まるような薄い蓋部を採用した場合に比べ、容易に蓋部２１の剛性を確保できる。よって、蓋部２１の変形等を抑制でき、そのような変形に伴って蓋部２１の機能が損なわれるのを抑制することができる。また、開口を画定する内壁面に囲まれる位置に蓋部が収まらない場合に比べ、蓋部自体が小さくなるので、蓋部付近の構造をコンパクトにすることができる。
【００３９】
［効果］
以上のように構成された複合機１によれば、蓋部２１は、読取ユニット３が本体ユニット２に対して第一位置（図２（Ａ）参照。）へ変位した際に、図１０に示すように、開口２３内（すなわち、内壁面２４に囲まれた位置。）に入り込むことにより、開口２３を閉鎖する。そのため、画像形成時に本体ユニット２の筐体２Ａ内において、汚損原因となるインクミストが発生したとしても、そのようなインクミストが開口２３を介して筐体２Ａの外へ拡散するのを抑制できる。したがって、同様な蓋部２１を備えていない場合に比べ、筐体３Ａの下面３Ｂが広範囲にわたって汚損するのを抑制できる。
【００４０】
また、蓋部２１自体は、開口２３を閉鎖する都合上、インクミストによる汚損を避けることはできないが、蓋部２１は濃色の樹脂材料で形成されているので、インクミストによる汚損を目立たなくすることができる。特に、本実施形態の場合、ベース部材１３は、読取ユニット３の筐体３Ａを構成し、その一部が複合機１の外装として外部に露出する。そのため、本実施形態では、複合機１の外観デザインの都合上、ベース部材１３は、淡灰色の樹脂で形成され、ここに黒色等のインクミストが付着すると目立ちやすくなる。
【００４１】
これに対し、蓋部２１は、インクミストによる汚損が目立たないように黒色の樹脂で形成されているので、黒色のインクミストはもちろんのこと、他の色のインクミストが付着しても、黒色にしか見えず、インクミストによる汚損が目立たない。つまり、インクミストによる汚損を受ける範囲を蓋部２１だけに限定して、淡灰色の筐体３Ａの下面３Ｂが汚損するのを抑制でき、かつ、蓋部２１自体の汚損は目立たなくすることができる。
【００４２】
また、蓋部２１は、読取ユニット３の下面３Ｂに取り付けられている。そのため、読取ユニット３には取り付けられていない蓋部で開口を閉鎖してあるものとは異なり、読取ユニット３を第二位置へ変位させるだけで、開口２３を開放することができる。したがって、読取ユニット３を第二位置へ変位させた後に、蓋部を取り外すといった面倒な操作をしなくても済む。
【００４３】
また、複合機１において、読取ユニット３が第一位置にある場合、蓋部２１は、開口２３を画定する内壁面２４に囲まれる位置に入り込む。そのため、読取ユニット３が第一位置にある状態において、本体ユニット２の上面２Ｂと読取ユニット３の下面３Ｂとの間に十分な距離がなかったとしても、開口２３を画定する内壁面２４に囲まれる位置に蓋部２１が入り込まない場合に比べ、蓋部２１を厚くすることができる。したがって、例えば、蓋部２１の変形等を抑制でき、読取ユニット３の下面３Ｂの汚損防止効果を向上させることができる。また、開口２３を画定する内壁面２４に囲まれる位置に蓋部２１が収まらない場合に比べ、蓋部２１自体が小さくなるので、蓋部２１付近の構造をコンパクトにすることができる。特に、蓋部２１は、樹脂成形品とされている。そのため、開口２３を画定する内壁面２４の形状が立体的に複雑な形状になっていても、そのような内壁面２４の形状に応じて、蓋部２１の形状を、内壁面２４との間に必要最低限の空隙を残して、内壁面２４に囲まれる位置にぴったりと収まる形状にすることができる。
【００４４】
さらに、上記複合機１によれば、上述のような突出部２６が溝３０の内部に入り込んでいる。そのため、このような突出部２６及び溝３０が設けられていない場合に比べ、読取ユニット３の筐体３Ａと蓋部２１との相対位置を容易に適正な位置に位置決めすることができる。また、上述のような突出部２６によりガイド部１５の曲げ剛性が向上するので、同様な突出部２６が設けられていない場合や、突出部２６が補強部材として機能するほどの機械的強度を備えていない場合等に比べ、ガイド部１５の形状安定性ないし寸法精度を高くすることができる。
【００４５】
［他の実施形態］
以上、画像形成装置について、例示的な実施形態を挙げて説明したが、本発明は、上述の例示的な実施形態に限定されるものではなく、本発明の技術的思想を逸脱しない範囲内において、様々な形態で実施することができる。
【００４６】
例えば、上述の実施形態において、蓋部２１は、開口２３を画定する内壁面２４に囲まれる位置に入り込むように構成されていたが、蓋部２１が内壁面２４に囲まれる位置に入り込むか否かは任意である。すなわち、蓋部２１は、開口２３を閉鎖することができるものであれば、内壁面２４に囲まれる位置に入り込まなくてもよい。例えば、蓋部が開口よりも一回り大きい面で開口の周囲にある周縁部に密接することで、開口を閉鎖するように構成されていてもよい。
【００４７】
また、上記実施形態では、蓋部２１を黒色の樹脂材料で形成してある旨を説明したが、インクミストによる汚損が目立たない色であれば黒色以外の濃色であってもよい。例えば、濃紺、濃緑、焦茶等の色であってもよい。また、蓋部２１自体の汚損を問題視しない場合は、蓋部２１を濃色の樹脂材料で形成することも必須ではない。この場合、蓋部２１だけは限定的に汚れが見える状態にはなるが、この場合でも、読取ユニット３の下面３Ｂが広範囲にわたって汚損するのを抑制できる。
【００４８】
さらに、上記実施形態では、画像形成装置の一例として、複合機１を例示したが、複合機として構成されているか否かは任意であり、単機能の画像読取装置、コピー機、ファクシミリ装置などにおいて、上述のような構成を採用してもよい。例えば、ファクシミリ装置などであれば、画像形成部を備えた第一ユニットの上部に、操作パネル等を備えた第二ユニットを設けた構成とすることができる。このような構成でも、第二ユニットを第二位置に変位させて、第一ユニットの上部にある開口を介して画像形成部に対するメンテナンス（例えば、ジャム処理など。）を実施することができる。また、この開口を閉鎖する蓋部を第二ユニットの下面に設けることで、第二ユニットの下面が広範囲にわたってインクミストで汚損するのを抑制できる。
【００４９】
なお、上述の実施形態では、第二ユニットの下面を汚損する原因成分として、インクミストを例に挙げたが、同様な問題は、画像形成部がインクジェット方式以外の方式で画像を形成する場合であっても発生し得る。例えば、電子写真方式で画像を形成可能な画像形成部を備える場合でも、トナー等の着色粒子が第一ユニット上面の開口から漏出すれば、第二ユニットが広範囲にわたって汚れ得る。また、トナー等の着色粒子に限らず、例えば、微細なほこり等の汚れ成分が第一ユニット内で帯電して第一ユニット上面の開口から漏出すれば、そのような汚れ成分が第二ユニットに付着し、第二ユニットが広範囲にわたって汚れ得る。したがって、これらのような汚損原因成分が第一ユニット上面の開口から漏出する場合にも、上述のような蓋部を設けると効果的である。
【符号の説明】
【００５０】
１…複合機、２…本体ユニット、２Ａ…筐体、２Ｂ…上面、３…読取ユニット、３Ａ…筐体、３Ｂ…下面、４…フラットベッド（ＦＢ部）、５…自動原稿送り装置部（ＡＤＦ部）、７…操作パネル、８…取り出し口、９…媒体供給カセット、１１…上部カバー、１３…ベース部材、１３Ａ…内底面、１４…カバー部材、１５…ガイド部、１６…プラテン、１７…キャリッジ、１８…イメージセンサ、２１…蓋部、２３…開口、２４…内壁面、２６…突出部、２７…切り欠き部、２８…貫通孔、３０…溝、３２…位置決めリブ、３３…位置決め突起。
【図１】
0006409374.tif 000002
【図２】
0006409374.tif 000003
【図３】
0006409374.tif 000004
【図４】
0006409374.tif 000005
【図５】
0006409374.tif 000006
【図６】
0006409374.tif 000007
【図７】
0006409374.tif 000008
【図８】
0006409374.tif 000009
【図９】
0006409374.tif 000010
【図１０】
0006409374.tif 000011